(57)【要約】【課題】  複数のカメラを用いたカメラシステムにおけるユーザによるモニタリングの負荷を低減する方法を提供する。【解決手段】  カメラシステム１０１の監視装置１０３の操作部１１０は、撮像画像から監視対象を特定し、画像配置部１１３は、複数の撮像装置のうち、撮像画像を表示させるべき撮像装置を、当該複数の撮像装置の当該監視対象に対する撮像方向に基づいて決定する。そして、表示部１１７は、画像配置部１１３により決定された撮像装置１０２の撮像画像を表示させる。【選択図】  図１
2016127571.tif 000002
【特許請求の範囲】
【請求項１】
複数の撮像装置のうち少なくとも１つによる撮像画像から監視対象を特定する特定手段と、
前記複数の撮像装置のうち、撮像画像を表示させるべき撮像装置を、前記複数の撮像装置の前記監視対象に対する撮像方向に基づいて決定する決定手段と、
前記決定された撮像装置の撮像画像を表示手段に表示させる表示制御手段とを備えることを特徴とする表示制御装置。
【請求項２】
前記表示制御手段は、前記監視対象の特定に用いられた前記撮像画像を撮像する撮像装置による撮像画像内に、前記複数の撮像装置のうち他の撮像装置による撮像画像から前記監視対象の領域が切り出された切り出し画像を合成して前記表示手段に表示させることを特徴とする請求項１に記載の表示制御装置。
【請求項３】
前記特定手段により特定された前記監視対象を撮像範囲に含む前記複数の撮像装置のうち少なくとも一部に対して、前記監視対象の領域を撮像画像から切り出すためのトリミング命令を送信する送信手段を有し、
前記表示制御手段は、前記トリミング命令に応じて撮像装置において切り出された切り出し画像を前記撮像画像として前記表示手段に表示させることを特徴とする請求項１又は２に記載の表示制御装置。
【請求項４】
前記特定手段により特定された前記監視対象を撮像範囲に含む前記複数の撮像装置のうち少なくとも一部から取得した撮像画像から、前記監視対象の領域を切り出す切り出し手段を有し、
前記表示制御手段は、前記切り出し手段により切り出された切り出し画像を前記撮像画像として前記表示手段に表示させることを特徴とする請求項１又は２に記載の表示制御装置。
【請求項５】
前記決定手段は、
前記監視対象を撮像範囲に含む前記複数の撮像装置を、前記監視対象に対する撮像方向に基づいて複数のグループに分類する分類手段を有し、
前記複数のグループのそれぞれから所定数の撮像装置を決定することを特徴とする請求項１乃至４のうち、何れか１項に記載の表示制御装置。
【請求項６】
前記決定手段は、１グループに複数の撮像装置が属する場合、当該グループ内の複数の撮像装置のそれぞれの撮像画像内に含まれる監視対象の領域が他の物体によって遮蔽されている度合いに基づいて、撮像装置を決定することを特徴とする請求項５に記載の表示制御装置。
【請求項７】
前記決定手段は、１グループに複数の撮像装置が属する場合、当該グループ内の複数の撮像装置のそれぞれの監視対象の領域における解像度に基づいて、撮像装置を決定することを特徴とする請求項５に記載の表示制御装置。
【請求項８】
前記監視対象を所定の方向から撮像する撮像装置が存在しない場合、撮像装置の撮像方向を変更するための制御を行なう制御手段をさらに備えることを特徴とする請求項１乃至７のうち、何れか１項に記載の表示制御装置。
【請求項９】
前記表示制御手段は、前記監視対象の特定に用いられた前記撮像画像を撮像する撮像装置による撮像画像に、前記複数の撮像装置のうち他の撮像装置による撮像画像から前記監視対象の領域が切り出された切り出し画像を合成して前記表示手段に表示させる場合において、前記切り出し画像に対応するアイコンをさらに表示させ、
前記アイコンに対する所定のユーザ操作に応じて、前記所定のユーザ操作がなされたアイコンに対応する切り出し画像を撮像する撮像装置の撮像画像に、前記複数の撮像装置のうち他の撮像装置による撮像画像から前記監視対象の領域が切り出された切り出し画像が合成して表示されるように、表示制御を実行することを特徴とする請求項１乃至８のうち、何れか１項に記載の表示制御装置。
【請求項１０】
前記複数の撮像装置のそれぞれの撮像方向を示す情報を取得する取得手段を有し、
前記決定手段は、前記取得手段により取得された前記複数の撮像装置のそれぞれの撮像方向と、前記特定手段により特定された前記監視対象の位置とに基づいて、前記複数の撮像装置のうち、撮像画像を表示させる撮像装置を決定することを特徴とする請求項１乃至９のうち、何れか１項に記載の表示制御装置。
【請求項１１】
前記監視対象として指定可能な範囲内の位置と、撮像装置の識別情報とを対応付けた対応情報を取得する取得手段を有し、
前記決定手段は、前記取得手段により取得された前記対応情報と、前記特定手段により特定された前記監視対象の位置とに基づいて、前記複数の撮像装置のうち、撮像画像を表示させる撮像装置を決定することを特徴とする請求項１乃至９のうち、何れか1項に記載の表示制御装置。
【請求項１２】
複数の撮像装置のうち少なくとも１つによる撮像画像から監視対象を特定する特定工程と、
前記複数の撮像装置のうち、撮像画像を表示させるべき撮像装置を、前記複数の撮像装置の前記監視対象に対する撮像方向に基づいて決定する決定工程と、
前記決定された撮像装置の撮像画像を表示手段に表示させる表示制御工程とを備えることを特徴とする表示制御方法。
【請求項１３】
前記表示制御工程は、前記監視対象の特定に用いられた前記撮像画像を撮像する撮像装置による撮像画像内に、前記複数の撮像装置のうち他の撮像装置による撮像画像から前記監視対象の領域が切り出された切り出し画像を合成して前記表示手段に表示させることを特徴とする請求項１２に記載の表示制御方法。
【請求項１４】
前記決定工程は、
前記監視対象を撮像範囲に含む前記複数の撮像装置を、前記監視対象に対する撮像方向に基づいて複数のグループに分類する分類工程を有し、
前記複数のグループのそれぞれから所定数の撮像装置を決定することを特徴とする請求項１２又は１３に記載の表示制御方法。
【請求項１５】
コンピュータに請求項１乃至１１のうち、何れか１項に記載の表示制御装置として動作させるためのプログラム。
【請求項１６】
複数の撮像装置と表示制御装置とが接続されたカメラシステムであって、
前記表示制御装置は、
前記複数の撮像装置のうち少なくとも１つによる撮像画像から監視対象を特定する特定手段と、
前記複数の撮像装置のうち、撮像画像を表示させるべき撮像装置を、前記複数の撮像装置の前記監視対象に対する撮像方向に基づいて決定する決定手段と、
前記決定された撮像装置の撮像画像を表示手段に表示させる表示制御手段とを備えることを特徴とするカメラシステム。
【発明の詳細な説明】
【技術分野】
【０００１】
本発明は、複数の撮像装置による撮像画像の表示制御方法に関する。
【背景技術】
【０００２】
近年、監視カメラは、低価格化、小型化によって普及が進んでおり、店舗においては単位面積当たりの設置台数が増えている。設置台数を増やすことで、死角が削減でき、１つの監視対象を複数の方向から多角的に撮影できるようになる。一方で監視カメラの撮像画像をモニタリングするための監視者の増員はコストがかさんでしまう。そこで、監視者あたりの監視カメラ台数の増加に対応するためのモニタリング方法に関する技術が存在する。
【０００３】
特許文献１は、多数のカメラから選択された所望のカメラの撮像画像を表示させる方法を開示している。ここで示されている方法は、監視者が監視対象を指定すると、指定した対象を撮影するカメラを複数抽出して、選択可能なカメラの位置を示す位置画像と、そのカメラの撮像画像を関連付けて表示するものである。監視者は、表示内容から所望のカメラを選択することができる。
【先行技術文献】
【特許文献】
【０００４】
【特許文献１】特許４５４７０４０号公報
【発明の概要】
【発明が解決しようとする課題】
【０００５】
しかしながら、複数のカメラを用いたカメラシステムにおけるユーザによるモニタリングの負荷が高くなる場合が考えられる。
【０００６】
例えば、特許文献１に示されているような方法を用いて選択された撮像装置による撮像画像を表示したとしても、監視したい被写体が表示されるのは、１方向からの撮像画像のみである。ある監視対象に対してある方向から撮像された撮像画像と、別の方向から撮像された撮像画像とを切り替えると、当該切り替えに応じて、ユーザ（監視者）は、撮影空間を頭の中で把握する必要があるため、ユーザの監視負荷が高くなるという課題がある。
【０００７】
本発明は上記の問題点に鑑みてなされたものであり、その目的は、複数のカメラを用いたカメラシステムにおけるユーザによるモニタリングの負荷を低減する方法を提供することである。
【課題を解決するための手段】
【０００８】
本発明の目的を達成するために、本発明の表示制御装置は、以下の構成を備える。すなわち、撮像装置による撮像画像から監視対象を特定する特定手段と、複数の撮像装置のうち、撮像画像を表示させるべき撮像装置を、前記複数の撮像装置の前記監視対象に対する撮像方向に基づいて決定する決定手段と、前記決定された撮像装置の撮像画像を表示させる表示制御手段とを備える。
【発明の効果】
【０００９】
本発明によれば、監視者による監視対象に対する監視負荷を低減できるようになる。
【図面の簡単な説明】
【００１０】
【図１】実施形態に係るカメラシステム１０１の構成を示すブロック図である。
【図２】実施形態に係る撮像装置１０２のハードウェア構成である。
【図３】実施形態に係る監視装置１０３のハードウェア構成である。
【図４】実施形態に係る撮像装置１０２と監視装置１０３の接続方法を説明した図である。
【図５】実施形態に係る撮像装置１０２の処理フローを示す図である。
【図６】実施形態に係る表示部１１７の表示画面である。
【図７】実施形態に係る制御命令を示す図である。
【図８】実施形態に係る監視装置１０３の「マルチビュー」イベントの処理フローを示す図である。
【図９】実施形態に係る撮像部選択部１１４の処理フローを示す図である。
【図１０】実施形態に係る表示部１１７の表示画面である。
【図１１】実施形態に係る表示部１１７の表示画面である。
【図１２】実施形態に係る表示部１１７の表示画面である。
【図１３】実施形態に係る操作イベントのデータ例である。
【図１４】実施形態に係るカメラシステム１０１の構成を示すブロック図である。
【図１５】実施形態に係る監視領域の鳥瞰図である。
【発明を実施するための形態】
【００１１】
以下に、実施形態について詳細に説明する。
【００１２】
＜第１の実施形態＞
図１は、本実施形態に係るカメラシステムの構成を示すブロック図である。図１に示すように、カメラシステム１０１は、複数の撮像装置１０２と、１つの監視装置１０３がネットワーク１１８により接続されている。ただし、監視装置１０３が複数存在しても構わない。
【００１３】
撮像装置１０２のハードウェア構成について、図２を用いて説明する。図２に示されるように、撮像装置１０２は、ＣＰＵ２０１、ＲＯＭ２０２、ＲＡＭ２０３、２次記憶装置２０４、画像センサ２０５、雲台装置２０６、ネットワークＩ／Ｆ２０７、バス２０８から構成される。
【００１４】
ＣＰＵ２０１は、ＲＯＭ２０２やＲＡＭ２０３に格納されたプログラムに従って命令を実行し、本実施形態に係る各部の処理や制御を行なう。ＲＡＭ２０３は、揮発性メモリであり、画像などの一時的なデータを記憶する。ＲＯＭ２０２は、不揮発性メモリであり、本実施形態に係るプログラムやその他の制御に必要なプログラムやデータを格納する。
【００１５】
２次記憶装置２０４は、フラッシュメモリなどの不揮発性の書き換え可能な記憶装置であり、撮像画像や画像処理プログラムや、各種設定内容などを記憶する。これらの情報は、ＲＡＭ２０３に転送され、ＣＰＵ２０１が当該プログラムの実行等に用いる。
【００１６】
画像センサ２０５は、レンズユニット等の光学系とＣＣＤイメージセンサなどの撮像素子から構成され、可視光や赤外線の撮像画像をデジタル信号として出力する。雲台装置２０６は、撮像装置１０２の位置や光軸の方向を制御する駆動装置である。雲台装置２０６により、撮像装置１０２のパン、チルト制御が可能である。なお、撮像装置１０２は、ズーム制御も可能である。ネットワークＩ／Ｆ２０７は、デジタルデータの送受信のためのインターフェースであり、インターネットやイントラネットなどのネットワーク１１８と接続を行うモデムなどである。バス２０８は、上記で示した各部を接続して相互にデータの入出力を行う。なお、本実施形態の画像には、特に断りがない限り、静止画と動画の両方の概念を適用可能である。
【００１７】
次に、撮像装置１０２のモジュール構成について図１を用いて説明する。撮像装置１０２は、撮像部１０４、被写体検出部１０５、画像加工部１０６、姿勢制御部１０７、および、送受信部１０８−１から構成される。
【００１８】
撮像部１０４は、画像センサ２０５で撮像を実行し、撮像画像を取得する。本実施形態の撮像部１０４は、毎秒３０フレームのＲＧＢ画像を撮像画像として取得するものとする。
【００１９】
被写体検出部１０５は、撮像部１０４で取得した撮像画像から被写体を検出して当該被写体の位置情報を画像加工部１０６へ出力する。
【００２０】
画像加工部１０６は、撮像部１０４から撮像画像と、被写体検出部１０５から被写体の検出結果（被写体の位置情報）を取得する。また、画像加工部１０６は、送受信部１０８−１が監視装置１０３から受信した制御命令に基づいて、監視対象の領域の画像をトリミング（切り出し）し、切り出し画像を出力する。
【００２１】
姿勢制御部１０７は、送受信部１０８−１が監視装置１０３から受信した姿勢制御命令に基づいて雲台装置２０６を駆動し、撮像部１０４の撮像方向を制御する。なお、姿勢制御部１０７は、撮像部１０４のズーム倍率を変更することも可能である。
【００２２】
送受信部１０８−１は、ネットワークＩ／Ｆ２０７を介して撮像画像や撮像装置１０２の状態を監視装置１０３へ送信すると共に、監視装置１０３から各種制御命令を受信する。ただし、送受信部１０８−１は、上記の送受信に限らず、必要に応じて、監視装置１０３や他の撮像装置１０２との間で各種情報の送受信を行うことが可能である。本実施形態の送受信部１０８−１は、撮像部１０４により得られた撮像画像をＨ２６４等の符号化方法で符号化し、符号化データとして監視装置１０３へ出力する。
【００２３】
監視装置１０３のハードウェア構成について、図３を用いて説明する。監視装置１０３のハードウェア構成は、撮像装置１０２のハードウェア構成に対して画像センサ２０５と雲台装置２０６がなく、代わりに入力部３０１、表示部３０２がある点が異なる。その他の構成は撮像装置１０２と同じであり、同じ符号を付けている。ただし、監視装置１０３が画像センサ２０５や雲台装置２０６を備えていてもよく、また、撮像装置１０２が入力部３０１や表示部３０２を備えていてもよい。
【００２４】
入力部３０１は、監視者（ユーザ）によるキーボードやマウス、タッチパネル等に対する入力を受け付ける。また、表示部３０２は、画像や設定内容を表示する１つ、または、複数の液晶ディスプレイやプロジェクタ等である。なお、本実施形態の表示部３０２は、ＣＰＵ２０１からの制御により、各種設定内容や画像を表示する。すなわち、本実施形態のＣＰＵ２０１は、表示部３０２による表示制御を実現する表示制御部として動作する。また、表示部３０２は、必ずしも監視装置１０３と一体の装置である必要はなく、監視装置１０３と表示部３０２は別々の装置であってもよい。
【００２５】
次に、監視装置１０３のモジュール構成について図１を用いて説明する。監視装置１０３は、撮像位置記憶部１０９、操作部１１０、画像認識部１１１、画質補正部１１２、画像配置部１１３、表示部１１７、および、送受信部１０８−２から構成される。
【００２６】
撮像位置記憶部１０９は、撮像装置１０２の設置位置や光軸方向および焦点距離を撮像位置情報として記憶する。設置位置は、緯度、経度、および高度で示される。設置位置は任意の基準点からの相対値でもよい。光軸方向は、所定の基準方向からの角度差（α、β、γ）で示される。すなわち、撮像位置情報には、撮像装置１０２の撮像方向を示す情報が含まれる。これらのパラメータが変更された場合、変更後のパラメータがリアルタイムで撮像装置１０２から監視装置１０３に送信され、撮像位置記憶部１０９の内容が更新される。なお、撮像位置記憶部１０９の内容は、ユーザが手動で更新することも可能である。
【００２７】
さらに、監視装置１０３は、撮像装置１０２から、現在のパン角度、チルト角度、ズーム倍率に関する情報、及び、撮像装置１０２のパンの可動範囲、チルトの可動範囲、ズーム倍率の変更可能範囲を取得することが可能である。監視装置１０３は、これらの情報に基づいて、撮像装置１０２の現在の撮像範囲のみならず、パン、チルト、ズーム制御をした場合における撮像装置１０２の撮像可能範囲を特定することも可能である。
【００２８】
操作部１１０は、監視者（ユーザ）による監視装置１０３の操作を受け付け、当該操作の内容に応じて、操作信号を画像配置部１１３と送受信部１０８−２とのうち少なくともいずれかに出力する。操作部１１０は、撮像装置１０２のパン、チルト、ズーム制御のための操作、撮像画像から監視対象の領域を指定するための操作、通常表示モードからマルチビューモードに切り替えるための操作、及び、表示画像の切り替えのための操作を受け付け可能である。
【００２９】
操作部１１０は、撮像装置１０２のパン、チルト、ズームのための操作を受け付けると、姿勢制御命令を生成して、送受信部１０８−２を介して撮像装置１０２に対して送信する。また、操作部１１０は、撮像画像から監視対象の領域を指定するための操作を受け付けた場合、画像配置部１１３に監視対象の領域情報を通知する。
【００３０】
また、操作部１１０は、監視対象を通常表示モードからマルチビューモードに切り替えるための操作を受け付けた場合、画像配置部１１３に対してマルチビューモードに切り替える旨を通知する。本実施形態の監視装置１０３は、通常表示モードとマルチビューモードを切り替え可能である。マルチビューモードとは、特定の監視対象をそれぞれ異なる方向から撮像する複数の撮像装置１０２の撮像画像を、表示部１１７に表示させるモードである。
【００３１】
より具体的には、図６に示すように、通常表示モードで撮像装置１０２の撮像画像を表示しているときにおいて、ユーザが監視対象の領域６０２を指定し、マルチビューモードを選択すると、例えば、図１０のような画像が表示される。図１０は、図６で示した撮像画像内に、当該監視対象を別の方向から撮像する撮像装置１０２の撮像画像の一部が合成されていることを示している。
【００３２】
また、操作部１１０は、上述のマルチビューモードにおいて表示画像の切り替えのための操作を受け付けた場合、画像配置部１１３に対して、表示画像の切り替えイベントの発生を通知すると共に、ユーザにより指定された撮像装置１０２の識別情報を通知する。これらの通知を受けると、画像配置部１１３は、ユーザによって指定された撮像装置１０２の撮像画像を中心とした画像を表示部１１７に表示させる。表示画像の切り替えに関する処理の詳細は後述する。
【００３３】
画像認識部１１１は、撮像装置１０２からの撮像画像から、人体などのオブジェクトを検出し、各々のオブジェクトについて評価してオブジェクトの種類や個体を識別し、当該特定された種類や個体、位置、移動速度などの属性を画像配置部１１３へ出力する。画像認識部１１１は、複数の画像フレームのそれぞれから検出されたオブジェクトの位置やオブジェクトの特徴量に基づいて、複数のオブジェクトを同一の個体として特定し、対応づけることが可能である。画質補正部１１２は、撮像装置１０２から受信した撮像画像に対して明るさ、コントラスト、色相等の画質補正を行い、処理後の画像を画像合成部１１６へ出力する。
【００３４】
画像配置部１１３は、表示部１１７に表示させる画像の配置を決定し、決定した配置に応じて複数の撮像画像を合成して合成画像を生成する。画像配置部１１３は、撮像部選択部１１４、表示位置決定部１１５、画像合成部１１６、および座標変換部１１９から構成される。なお、本実施形態では、切り出し画像を表示するための領域を窓という言葉で説明するが、窓に限らない。また、本実施形態の画像配置部１１３は、監視者（ユーザ）によってマルチビューが選択された場合に、動作する。すなわち、画像配置部１１３は、前述のマルチビューが選択されている場合において、表示部１１７に表示される複数の画像の配置を決定する。すなわち、撮像部選択部１１４は、複数の撮像装置のうち、撮像画像を表示させるべき撮像装置を、当該複数の撮像装置の監視対象に対する撮像方向に基づいて決定する。
【００３５】
撮像部選択部１１４は、マルチビューモードへの切り替えによって新たに表示される画像を撮像する撮像装置１０２を選択し、選択された撮像装置１０２の識別情報を表示位置決定部１１５に通知する。また、撮像部選択部１１４は、選択した撮像装置１０２に対して、撮像画像の一部の切り出しを行わせるためのトリミング命令を送信する。撮像部選択部１１４による撮像装置１０２の選択方法の詳細は後述する。
【００３６】
表示位置決定部１１５は、画像認識部１１１の出力、および、撮像位置記憶部１０９からの撮像位置情報に基づいて、表示部１１７に配置する窓の位置や大きさを決定する。そして、表示位置決定部１１５は、決定した窓の位置や大きさを示す情報を画像合成部１１６に通知する。
【００３７】
画像合成部１１６は、画質補正部１１２から取得した補正処理済み切り出し画像を、表示位置決定部１１５から通知された窓の位置やサイズを示す情報に基づいて合成する。さらに、画像合成部１１６は、合成済み画像に対してマウスカーソルや機能選択等のユーザインタフェースにかかる表示を必要に応じて合成して表示部１１７に出力する。
【００３８】
座標変換部１１９は、画像上の座標系から実空間上の座標系への座標変換を行う。座標変換部１１９は、撮像部選択部１１４による撮像装置１０２の選択等のために、各撮像装置１０２の撮像画像内における人物の位置やサイズ等を、実空間における位置やサイズ等に変換する。座標変換部１１９の動作の詳細は、後述する。
【００３９】
表示部１１７は、画像合成部１１６によって出力された画像を表示する。なお、表示部１１７による表示は、図３のＣＰＵ２０１による所定のプログラムの実行によって行われる。すなわち、ＣＰＵ２０１は、実施形態における表示制御部として動作する。また、表示部１１７は、必ずしも監視装置１０３と一体の装置である必要はなく、監視装置１０３と表示部１１７は別々の装置であってもよい。
【００４０】
送受信部１０８−２は、ネットワークＩ／Ｆ２０７を介して複数の撮像装置１０２と各種データのやり取りを行う。また、送受信部１０８−２は、撮像装置１０２から符号化データを受信した場合、符号化方法に対応する復号化を行って、画像認識部１１１と画質補正部１１２へ出力する。
【００４１】
次に、本実施形態に係る撮像装置１０２の設置例について説明する。図１５は、本実施形態のカメラシステムの鳥瞰図の例を示した図である。図１５において、１５０１は、カメラシステムによる監視対象となる全体領域である。また、また、１５０２−１〜１５０２−２は、キャビネットなどの遮蔽物である。また、１５０３−１〜１５０３−２は、人物である。本実施形態では監視対象となり得るオブジェクトが人物である場合の例を中心として説明する。ただし、監視対象は人物に限らず、例えば、動物や、車など、様々なオブジェクトが想定される。また、１５０４−１〜１５０４−１５は、天井に設置されたカメラである。
【００４２】
（送受信フロー）
次に、撮像装置１０２と監視装置１０３が、ネットワーク１１８において接続する手順について図４を用いて説明する。図４は、撮像装置１０２と監視装置１０３が接続を確立して画像や制御命令を通信するまでの情報通信手順の一例を示す図である。これらの処理は、後述する他のフローチャートで示される手順とは、非同期で実行される。
【００４３】
図４において、撮像装置１０２は、ステップＳ４０１で初期化処理を実行後、接続要求を待つ。一方で監視装置１０３は、ステップＳ４０２で初期化処理を実行後、撮像装置１０２に対してステップＳ４０３で接続要求を行う。接続要求には、ユーザ名やパスワードが含まれる。撮像装置１０２は、接続要求を受信するとステップＳ４０４で接続要求に含まれるユーザ名やパスワードに基づき認証処理を行い、ステップＳ４０５で接続許可を行う。その結果、監視装置１０３側では、ステップＳ４０６にて接続の確立が確認される。
【００４４】
ステップＳ４０６で接続が確立すると、撮像装置１０２および監視装置１０３双方でループに入る（ステップＳ４０７）。ループ内で監視装置１０３がステップＳ４０８にて情報送信を行うと、撮像装置１０２がステップＳ４０９にてその情報を受信する。撮像装置１０２が受信した情報は、ＲＡＭ２０３内の受信データバッファに蓄積される。撮像装置１０２が受信データを処理したらステップＳ４１０にて応答送信を行い、監視装置１０３がステップＳ４１１にてその応答を受信する。
【００４５】
ステップＳ４０８で監視装置１０３が撮像装置１０２に対して送信する情報は、例えば、撮像画像の取得要求や、各種制御命令（監視対象指定命令、姿勢制御命令、トリミング命令等）である。撮像装置１０２は、ステップＳ４０９で撮像画像の取得要求を受信した場合は、ステップＳ４１０で監視装置１０３に対して撮像画像を送信する。また、撮像装置１０２は、ステップＳ４０９で姿勢制御命令を受信した場合は、ステップＳ４１０でパン、チルト、ズームの制御が成功したか否かを示す応答を監視装置１０３に対して送信する。
【００４６】
さらに、撮像装置１０２は、ステップＳ４０９で監視装置１０３からトリミング命令を受信した場合、トリミング命令で指定された領域を撮像画像から切り出し、ステップＳ４１０で切り出し画像を監視装置１０３に対して送信する。送受信すべきデータが所定時間以上、ない場合には、いったん接続を切り、ステップＳ４０３から再度接続が行われる。本実施形態では、通信プロトコルとしてＨＴＴＰを用いるが、任意の通信プロトコルを使用してもよい。
【００４７】
次に、撮像装置１０２の送受信部１０８−１が制御命令を受信した場合における、撮像装置１０２の動作について図５のフローチャートを用いて説明する。図５の動作は、撮像装置１０２のＣＰＵ２０１が、図５の処理に係るプログラムを読み出して実行することにより、実現される。
【００４８】
ステップＳ５０１にて撮像装置１０２の送受信部１０８−１は、監視装置１０３から受信した制御命令を読み出す。制御命令は、ＸＭＬデータで示され、図７にその一例を示す。
【００４９】
図７において、＜ｄｅｖｉｃｅ＿ｉｄ＞タグ内には、制御命令を発令した装置の識別情報が記述される。当該識別情報は、システム内で一意の値である。
【００５０】
＜ｄｅｖｉｃｅ＿ｔｙｐｅ＞タグ内には、制御命令を発令した装置の種別を示しており、制御命令の送信元が撮像装置１０２か監視装置１０３かを識別するための値である。
【００５１】
＜ｃｏｍｍａｎｄ＞タグ内には、具体的な制御命令とそのパラメータが記述される。＜ｃｏｍｍａｎｄ＿ｔｙｐｅ＞タグ内には、制御命令の種類を示す情報が記述される。
【００５２】
＜ｃｏｍｍａｎｄ＿ｔｙｐｅ＞タグ内にＭａｒｋＴａｒｇｅｔと記述されている場合は、当該制御命令が、監視対象指定命令である。本実施形態において監視対象指定命令は、ユーザにより指定された監視対象の領域を撮像装置１０２に通知し、当該領域内のオブジェクトの移動に応じてパン、チルトを行うことで当該オブジェクトを追尾させるための命令である。
【００５３】
＜ｔｉｍｅ＿ｓｔａｍｐ＞タグ内には、制御命令が送信された時刻が記述される。
【００５４】
＜ｔａｒｇｅｔ＞タグ内には、指定された監視対象のパラメータが記述される。＜ｔａｒｇｅｔ＞タグを複数並べることで、複数の監視対象を指定することができる。
【００５５】
＜ｔａｒｇｅｔ＿ｔｙｐｅ＞タグ内は、監視対象の種類を示す。図７の例は、人物が監視対象として設定されたことを示している。
【００５６】
＜ｔａｒｇｅｔ＿ｌｏｃａｔｉｏｎ＞タグ内には、制御命令を送信した時刻における監視対象の実空間上の位置が記述される。図７の例では、緯度、経度、高度により監視対象の位置を示しているが、システム内で共通の決定方法が用いられればどのような方法であってもよい。
【００５７】
＜ｔａｒｇｅｔ＿ｓｉｚｅ＞タグ内には、監視対象の実空間上でのおおよその大きさを示す情報が記述される。図７の例では、＜ｔａｒｇｅｔ＿ｓｉｚｅ＞タグ内に、監視対象の人物の身長が記述される例を示しているが、縦方向の長さのみならず、例えば、幅の情報も格納するようにしても良い。
【００５８】
＜ｔａｒｇｅｔ＿ｍｏｖｅｍｅｎｔ＞タグ内には、監視対象が移動している場合に、直近の実空間での移動速度がｘ、ｙ、ｚ方向で記述される。監視装置１０３は、移動速度の情報を用いることで、＜ｔｉｍｅ＿ｓｔａｍｐ＞タグで示された制御命令を発令した時刻と現在時刻の差がある場合に監視対象の現在位置を求めることができる。また、監視装置１０３は、姿勢制御によって撮像装置１０２の画角を変更する際、画像の中央に監視対象を置くのではなく、移動方向側をより広く空けた構図になるように姿勢制御させることができる。
【００５９】
＜ｔａｒｇｅｔ＿ｉｄ＞タグ内には、監視対象を識別するためのシステム内で一意の識別情報が記述される。
【００６０】
ステップＳ５０１において制御命令が読みだされると、ステップＳ５０２に進み、送受信部１０８−１は、制御命令が監視対象指定命令であるか否か、すなわち、＜ｃｏｍｍａｎｄ＿ｔｙｐｅ＞タグ内が、“ＭａｒｋＴａｒｇｅｔ”であるか否かを判定する。“ＭａｒｋＴａｒｇｅｔ”の場合は、ステップＳ５０３に進み、そうでない場合は、ステップＳ５０５に進む。
【００６１】
送受信部１０８−１は、ステップＳ５０５において、制御命令が姿勢制御命令であるか否か、すなわち、＜ｃｏｍｍａｎｄ＿ｔｙｐｅ＞タグ内が“Ｔｏ”であるか否かを判定する。“Ｔｏ”の場合は、ステップＳ５０６に進み、そうでない場合は、ステップＳ５０８に進む。
【００６２】
送受信部１０８−１は、ステップＳ５０８において、制御命令が加工命令（トリミング命令）であるか否か、すなわち、＜ｃｏｍｍａｎｄ＿ｔｙｐｅ＞タグ内が“Ｔｒｉｍｍｉｎｇ”であるか否かを判定する。“Ｔｒｉｍｍｉｎｇ”の場合は、ステップＳ５０９に進み、そうでない場合は、Ｓ５１０に進み、その他の制御命令処理を実行して図５の処理を終了する。
【００６３】
制御命令が監視対象指定命令であると判定された場合、被写体検出部１０５は、ステップＳ５０３において、監視対象となる被写体の指定処理を行う。より具体的には、被写体検出部１０５は、制御命令に記述されている監視対象の実空間上の位置と大きさの情報を取得する。そして、被写体検出部１０５は、撮像部１０４による撮像範囲のうち、取得された位置と大きさに対応する領域を特定し、特定された領域の外接矩形の頂点の座標情報（ｘ１，ｙ１，ｘ２，ｙ２）を記憶する。被写体検出部１０５は、監視対象の実空間上の位置と大きさの情報と、撮像部１０４の位置と姿勢および、焦点距離の情報から、幾何学的計算を実行することにより求めることができる。
【００６４】
なお、撮像装置１０２が固定カメラの場合は、撮像部１０４の設置位置は、撮像位置記憶部１０９に予め記憶されている位置情報を取得すればよい。また、姿勢は、設置時に撮像位置記憶部１０９に記憶した基準の光軸方向から、現在のパン、チルトの状態による光軸方向の差から求めることができる。
【００６５】
一方、撮像装置１０２が移動カメラの場合は、ＧＰＳ（Ｇｒｏｂａｌ  Ｐｏｓｉｔｉｏｎｉｎｇ  Ｓｙｓｔｅｍ）によって自身の設置位置を認識することが可能である。屋内の場合には、複数のマーカを配置し、撮像部１０４による撮像画像から３か所以上のマーカの方向を求めることで幾何学的計算により撮像装置１０２の設置位置と姿勢を求めることが可能である。
【００６６】
被写体検出部１０５は、ひとたび画像中の監視対象の位置を特定したら、以降、撮像部１０４が取得した撮像画像に基づいて監視対象の位置情報を更新する。また、被写体検出部１０５は、監視対象が撮像部１０４の画角内に収まるように、姿勢制御部１０７にパン、チルト、ズームの制御をさせることも可能である。
【００６７】
送受信部１０８−１は、ステップＳ５０４にて、監視対象指定処理結果を監視装置１０３に対して送信する。撮像部１０４による撮像画像内に監視対象を含めることができた場合は、正常終了したことを示す処理結果を、制御命令の送信元（監視装置１０３）に対して送信する。制御命令の送信元は、制御命令に含まれる＜ｄｅｖｉｃｅ＿ｉｄ＞タグ内に記述された識別情報から判別可能である。
【００６８】
一方、送受信部１０８−１は、撮像部１０４による撮像画像内に監視対象を含めることができない場合や、近距離過ぎて監視対象の全部を含めることができない場合は、監視装置１０３に対してエラーを示す処理結果を送信する。
【００６９】
ステップＳ５０６では、姿勢制御処理を行う。姿勢制御部１０７は、＜ｃｏｍｍａｎｄ＞タグ内のパラメータから、目標となる光軸の方向（α、γ、β）および焦点距離（ｆ）を取得する。そして姿勢制御部１０７は、雲台装置２０６を駆動しパン、チルト制御を行って現在の撮像部１０４の光軸の方向を目標値に近づけるように制御する。また、姿勢制御部１０７は、撮像部１０４のレンズを制御して焦点距離を目標値に近づけるように制御する。なお姿勢制御部１０７は、監視装置１０３からの制御命令や監視対象の追尾のために、撮像部１０４のズーム倍率を制御することも可能である。
【００７０】
送受信部１０８−１は、ステップＳ５０７にて、姿勢制御処理結果を監視装置１０３に対して送信する。より具体的には、送受信部１０８−１は、姿勢制御後の光軸の方向および焦点距離を制御命令に送信元に対して送信する。制御命令の送信元は、制御命令に含まれる＜ｄｅｖｉｃｅ＿ｉｄ＞タグ内に記述された識別情報から判別可能である。制御命令の送信元である監視装置１０３は、制御命令に含まれる光軸の方向の目標値と、撮像装置１０２から受信した姿勢制御処理結果に含まれる光軸の方向の値とを比較することで、姿勢制御に成功したのか、失敗したのかを判定できる。
【００７１】
画像加工部１０６は、ステップＳ５０９において、画像の加工処理を行う。より具体的には、画像加工部１０６は、＜ｃｏｍｍａｎｄ＞タグ内のパラメータから矩形領域の対頂点（ｘ１，ｙ１，ｘ２，ｙ２）を取得する。そして、画像加工部１０６は、矩形領域の対頂点を取得したあとに撮像部１０４によって撮像された撮像画像から、当該矩形領域を切り出し（トリミングを行い）、切り出し画像を送受信部１０８−１に出力する。画像加工部１０６によって切り出された切り出し画像は、送受信部１０８−１によって制御命令の送信元（監視装置１０３）に対して送信される。矩形領域のトリミング（切り出し）は、監視装置１０３で行うことも可能であるが、本実施形態のよう撮像装置１０２がトリミングを行う。このようにすることでネットワークの通信帯域の負荷を減らすことができる。ただし、複数の監視装置１０３を接続して異なる領域の画像を監視する場合や、撮像画像を監視装置１０３側で記録し、切り出し画像以外の領域の画像をチェックする可能性がある場合など、監視装置１０３がトリミングをしたほうが良い場合も考えられる。これらの場合は、トリミングされていない状態の撮像画像を監視装置１０３が撮像装置１０２から取得して、監視装置１０３がトリミングすることが可能である。この場合、画像加工部１０６が、監視装置１０３の送受信部１０８−２から画質補正部１１２の間に設置させるようにすればよい。
【００７２】
次に、ユーザ操作に応じた処理の詳細を、通常表示モードからマルチビューモードに切り替えられる場合の例を中心として、説明する。マルチビューモードとは、特定の監視対象をそれぞれ異なる方向から撮像する複数の撮像装置１０２の撮像画像を、表示部１１７に表示させるためのモードである。
【００７３】
図６は、通常の表示モードにおいて表示部１１７に表示されている画像を示している。なお、図６の例では、１つの撮像装置１０２による撮像画像のみが表示されている例を示しているが、複数の撮像装置１０２による複数の撮像画像を並べて表示されるようにしても良い。
【００７４】
図６において、６０１は、監視対象を含む撮像画像であり、主画像である。本実施形態において、主画像は、ユーザが監視対象の領域を指定するために用いた撮像画像に対応する画像である。ただし、主画像が別途指定されるようにしてもよい。
【００７５】
６０２は、ユーザが指定する監視対象の領域である。監視者が入力部３０１（例えばマウス）でドラッグ操作を行って対頂点を指定することで、水平、垂直な辺を持つ対象範囲の矩形が監視対象の領域６０２として選択される。
【００７６】
６０３は、機能メニューであり、主画像６０１に重畳して表示される。本実施形態では、ユーザが監視対象の領域を選択すると、その付近に機能メニュー６０３が表示され、監視対象の領域に対する処理を選択できる。ユーザが操作部１１０で機能メニュー６０３中の機能を選択すると操作イベントが発生する。
【００７７】
６０４は、マルチビュー選択領域である。ユーザが操作部１１０に対する操作によってマルチビュー選択領域６０４を選択すると、通常表示モードからマルチビューモードへの切り替えが行われる。
【００７８】
６０５は、ズーム選択領域である。ユーザが操作部１１０に対する操作によってズーム選択領域６０５を選択すると、送受信部１０８−２は、選択領域を拡大するように撮像装置１０２に対して姿勢制御命令を送信する。マルチビュー選択領域６０４が選択されるか、他の監視対象の領域が選択されると、機能メニュー６０３は表示部１１７から消える。
【００７９】
図１３は、ユーザがマルチビューを選択した場合に操作部１１０から画像配置部１１３へ出力される操作イベントの記述例を示している。操作イベントはＸＭＬで示される。
【００８０】
図１３において、＜ｅｖｅｎｔ＿ｎａｍｅ＞タグ内には、操作イベントの名前が記述される。マルチビューモードへの切り替えの場合は、図１３に示すように、ＭｕｌｔｉＶｉｅｗと記述される。
【００８１】
＜ｔｉｍｅ＿ｓｔａｍｐ＞タグ内には、イベントが発生した日時が記述される。
【００８２】
＜ｔａｒｇｅｔ＞タグ内には、ユーザ操作の内容が記述される。マルチビューモードへの切り替えの場合は、図１３に示すように、ユーザ操作が行われた撮像画像を撮像した撮像装置１０２の識別情報、ユーザ操作が行われた撮像画像の撮像時刻、及び、ユーザ操作によって指定された監視対象の領域の情報が記述される。
【００８３】
＜ｄｅｖｉｃｅ＿ｉｄ＞タグ内には、ユーザ操作が行われた撮像画像を撮像した撮像装置１０２の識別情報が記述される。
【００８４】
＜ｍｅｄｉａ＿ｔｉｍｅ＞タグ内には、ユーザ操作が行われた撮像画像の撮像時刻が記述される。画像の送受信の際には遅延が生じるため、イベントが発生した時刻（ユーザ操作が入力された時刻）に対して、表示している撮像画像の撮像時刻は、早い時刻となる。
【００８５】
＜ｒｅｇｉｏｎ＞タグ内には、ユーザ操作によって指定された監視対象の領域の情報が記述される。本実施形態では、＜ｒｅｇｉｏｎ＞タグ内には、撮像装置１０２から受信した撮像画像の左上を原点とする監視対象の領域の左上の座標ｘ、ｙ、及び、幅と高さの数値が記述される。ただし、監視対象の領域の座標ｘ、ｙは、例えば監視対象の領域の中心位置等を示す座標であっても良い。
【００８６】
次に、操作部１１０に対するユーザ操作に応じてマルチビューモードに切り替えられたときの画像配置部１１３が行う処理について図８のフローチャートを用いて説明する。図８の処理は、監視装置１０３のＣＰＵ２０１が、図８の処理に係るプログラムを読み出して実行することにより、実現される。また、図８の処理は、操作部１１０を利用したユーザ操作によって、撮像画像から監視対象が指定された状態で、通常表示モードからマルチビューモードに切り替えられるときに実行される。すなわち、操作部１１０は、撮像画像から監視対象を特定する。なお、本実施形態では、監視対象の領域がユーザによって指定される場合の例を中心に説明しているが、これに限らない。例えば、予め設定された特徴量を持つ人物（領域）を監視対象とすることも可能であるし、予め設定された動作をする人物（領域）を監視対象とすることも可能である。
【００８７】
ステップＳ８０１にて撮像部選択部１１４は、監視対象から撮像装置１０２への距離に基づいて撮像装置１０２の絞り込みを行う（第１の絞り込み）。本実施形態において監視対象とは、ユーザによってマルチビューモードが選択されたときに当該ユーザによって指定されている領域である。
【００８８】
ステップＳ８０１の処理について詳細に説明する。まず、座標変換部１１９は、＜ｒｅｇｉｏｎ＞タグ内に記述された監視対象の位置情報（画像内の座標と幅と高さで示される）から、監視対象の実空間上での中心位置と大きさを算出する。当該算出は、監視対象の選択の際に表示されていた撮像画像を撮像した撮像装置１０２、及び、他の撮像装置１０２のそれぞれの設置位置と光軸方向、及び焦点距離に関する情報を用いてエピポーラ幾何の演算を実行することによって実現できる。なお、各撮像装置１０２のそれぞれの設置位置と光軸方向、及び焦点距離に関する情報は、撮像位置記憶部１０９に記憶されている。
【００８９】
次に、撮像部選択部１１４は、撮像位置記憶部１０９から各撮像装置１０２の設置位置の情報を読みだす。そして、撮像部選択部１１４は、監視対象に距離が近い方から所定の台数、または、監視対象から所定の距離の範囲内に設置された撮像装置１０２を選択する。ただし、屋内においては、階数が異なると死角となるので監視対象とは異なる階に存在する撮像装置１０２は選択しないようにする。なお、監視対象が存在する階と撮像装置１０２が存在する階が一致するか否かの判定は、高度に関する情報を用いることも可能であるし、各撮像装置１０２の設置位置の情報として、設置階の情報を設定し、当該情報を用いるようにしてもよい。
【００９０】
また、所定の距離は、個々の撮像装置１０２の光学性能や解像度に基づいて設定することができる。例えば、最もズームした状態で撮像した際、人物の平均的な高さに相当する長さが２０画素未満になる時の人物と撮像装置１０２の距離を、所定の距離として設定することが可能である。
【００９１】
ステップＳ８０２において、撮像部選択部１１４は、ステップＳ８０１で選択された複数の撮像装置１０２のそれぞれに対して送信するための監視対象指定命令を生成する。撮像部選択部１１４は、ステップＳ８０１で選択された各撮像装置１０２の撮像画像における監視対象の領域を、主画像６０１上で選択された監視対象の領域と、画像認識部１１１による各撮像装置１０２の撮像画像内のオブジェクト検出結果に基づいて特定する。そして、撮像部選択部１１４は、特定した監視対象の位置や、移動速度、タイプ、属性、識別番号をそれぞれ＜ｔａｒｇｅｔ＞タグ内の各タグに記述することで監視対象指定命令を生成する。なお、ステップＳ８０２で生成される監視対象指定命令は、図７と同様にＸＭＬ形式で記述される。ただし命令の記述形式はＸＭＬに限らない。
【００９２】
ステップＳ８０２にて監視対象指定命令の生成が完了するとステップＳ８０３に進み、撮像部選択部１１４は、監視対象指定命令を、ステップＳ８０１で選択された複数の撮像装置１０２に対して送受信部１０８を介して送信する。
【００９３】
監視対象指定命令の送信が完了すると、ステップＳ８０４に進み、撮像部選択部１１４は、各撮像装置１０２からの処理結果（監視対象指定処理結果）を待つ。例えば、図１５の例では、ステップＳ８０１で、撮像装置１５０４−１〜１５０４−１５が選択された場合、各撮像装置１５０４−１〜１５０４−１５に対して監視対象指定命令が送信される。そして、ステップＳ８０４において、撮像部選択部１１４は、撮像装置１５０４−３、１５０４−５、１５０４−１３、１５０４−１５、１５０４−８、１５０４−１０からは、監視対象が撮像範囲に含まれないことを示す監視対象指定処理結果を受信したものとする。また、撮像部選択部１１４は、他の撮像装置１０２からは、監視対象が撮像範囲に含まれることを示す監視対象指定処理結果を受信したものとする。
【００９４】
ステップＳ８０２からステップＳ８０４の処理によって、撮像部選択部１１４は、操作部１１０により指定された監視対象を撮像範囲に含む複数の撮像装置１０２を特定することができる。ステップＳ８０３で監視対象指定命令が送信されたすべての撮像装置１０２から処理結果を受信するか、ステップＳ８０３で監視対象指定命令を送信してから所定時間が経過すると、ステップＳ８０５に進む。
【００９５】
ステップＳ８０５では、監視対象を撮像範囲に含むことを示す監視対象指定処理結果を出力した撮像装置１０２から、撮像部選択部１１４が、さらなる撮像装置１０２の絞り込みを行う（第２の絞り込み）。すなわち、撮像部選択部１１４は、監視対象を撮像範囲に含む複数の撮像装置１０２から、撮像画像を表示すべき複数の撮像装置１０２を選択する。第２の絞り込みの詳細は、図９を用いて後述する。
【００９６】
第２の絞り込みが完了するとステップＳ８０６に進み、表示位置決定部１１５は、窓位置と窓の大きさを決定する。表示位置決定部１１５は、監視対象と第１の絞り込みで絞り込まれた撮像装置１０２の位置関係に基づいて窓位置を決定する。より具体的には、窓は、ユーザにより指定された監視対象を撮像する撮像装置１０２の撮像方向に応じた位置に配置される。例えば、図１０の例では、監視対象の領域１００２の左側に、監視対象の領域１００２を左側から撮像する撮像装置１０２の撮像画像の窓領域１００３−１が配置される。また、監視対象の領域１００２の右側に、監視対象の領域１００２を右側から撮像する撮像装置１０２の撮像画像の窓領域１００３−４が配置される。すなわち、ステップＳ８０６において、表示位置決定部１１５は、第２の絞り込みで絞り込まれた複数の撮像装置１０２の撮像画像の表示の位置関係を、当該複数の撮像装置１０２と監視対象との位置関係に基づいて決定する。
【００９７】
また、表示位置決定部１１５は、複数の窓が重ならず、且つ、各窓領域が監視対象の領域と重ならないように各窓領域を配置する。特に、表示位置決定部１１５は、監視対象を上部から撮像した切り出し画像と、監視対象を背後から撮像した切り出し画像とが重ならないように窓領域を配置する。また、表示位置決定部１１５は、監視対象の領域１００２と窓との表示画面上での距離が、所定距離以下になるように、窓の位置と大きさを決定する。このような構成によれば、監視者による監視負荷をより低減できる。
【００９８】
なお、窓の大きさは、主画像６０１における監視対象のサイズに基づいて決定される。図１０に示されているように、監視対象の領域１００２における監視対象の人物１００６の大きさと、窓内に表示されている監視対象の人物のサイズは略同一である。このように、本実施形態の表示位置決定部１１５は、監視対象の人物１００６の大きさに基づいて、窓のサイズを決定する。このような構成によれば、監視者による監視負担を低減できる。また、本実施形態の表示位置決定部１１５は、監視対象の周囲に一定の幅の背景を含めることで、監視対象の大きさや姿勢などが急激に変化しても窓の大きさが頻繁に変化しないようにすることが可能である。
【００９９】
窓の配置とサイズが決定されると、ステップＳ８０７に進み、画像合成部１１６は、画像を合成する。画像合成部１１６は、主画像に対してステップＳ８０６で決定した窓位置に、他の撮像装置１０２による撮像画像の一部が切り出された切り出し画像を合成することで合成画像を生成する。なお、本実施形態において、主画像は、ユーザが監視対象の指定に用いた画像を撮像する撮像装置１０２による撮像画像である。また、各々の窓に表示する被写体（監視対象）の明るさ、コントラスト、色相等のばらつきを抑制するため、画質補正部１１２は、切り出し画像に対して主画像に合わせる補正処理を実行する。ただし、主画像と切り出し画像の明るさ、コントラスト、色相についての平均値を求め、平均値を補正の目標値として主画像と切り出し画像の双方の画質補正が行なわれるようにしても良い。
【０１００】
画像合成部１１６による合成処理が完了するとステップＳ８０８に進み、表示部１１７がステップＳ８０７で合成された画像を表示する。すなわち、表示部１１７は、第２の絞り込みによって絞り込まれた複数の撮像装置１０２と監視対象との位置関係に応じて決定されたレイアウトの合成画像を表示する。なお、表示部１１７は、図１０に示すように、監視対象の特定に用いられた撮像画像を撮像する撮像装置１０２の撮像画像（主画像６０１）内に、他の撮像装置１０２の撮像画像から監視対象の領域が切り出された切り出し画像が合成された合成画像を表示させる。
【０１０１】
その後も、画像合成部１１６は、撮像装置１０２から継続的に受信する撮像画像を同様の方法で合成し、表示部１１７で表示させる。なお、マルチビューモード中に監視対象が移動する場合、画像認識部１１１は、監視対象をトラッキングする。そして、撮像部選択部１１４、及び、表示位置決定部１１５は、当該トラッキングの結果に基づいて、定期的または、監視対象の移動量に応じてステップＳ８０１からステップＳ８０６の処理を再実行する。トラッキングは、例えば、監視対象の位置が既知な画像と、新たに撮像された画像の間で、監視対象の画像領域の相関演算を行い、最も高い相関となる位置を新たな監視対象の位置とすればよい。
【０１０２】
監視対象の人数が多い場合は、ユーザが監視対象の人物を指定したときに、機能メニュー６０３を表示せずに当該人物のマルチビュー表示に切り替えると、操作性が向上し、監視者にとって負荷が少ない。
【０１０３】
図１０は、マルチビューモードにおいて表示部１１７に表示される画像の例を示している。図１０において、１００２は、監視対象の領域である。また、１００３−１〜１００３−４は、窓領域である。１００３−１〜１００３−４は、それぞれ、撮像装置１５０４−４、１５０４−１４、１５０４−７、１５０４−９の撮像装置１０２によって撮像された画像が表示される。窓領域に所定の枠を設けることで、主画像ではなく、合成された領域であることが示される。窓領域１００３−３は、監視対象が、主画像を撮像する撮像装置１０２の反対側から撮像された撮像画像である。本実施形態の画像合成部１１６は、主画像に対応する撮像装置１０２とは反対の方向から監視対象を撮像した撮像装置１０２の撮像画像（窓領域１００３−３に対応する撮像画像）を左右に反転して主画像に合成する。このような構成により、主画像における監視対象の後ろに鏡を設置したような画像になり、監視者が監視をしやすくなる。１００４−１〜１００４−４は、関連線である。関連線１００４は、窓と監視対象の関係を示すものである。監視対象が複数ある場合に混乱しない効果がある。
【０１０４】
１００５−１〜１００５−４は、カメラアイコンである。本実施形態では、図１０のような画像表示が行われているときにユーザによりカメラアイコンが指定されると、当該指定されたカメラアイコンに対応する撮像装置１０２による撮像画像を主画像とする制御が実行される。カメラアイコンに対する操作時の処理の詳細は、後述する。
【０１０５】
次にステップＳ８０５における撮像部選択部１１４の処理の詳細について図９のフローチャートを用いて説明する。図９の処理は、監視装置１０３のＣＰＵ２０１が、図９の処理に係るプログラムを読み出して実行することにより実現される。
【０１０６】
ステップＳ９０１において撮像部選択部１１４は、グループを設定する。本実施形態では、監視対象に対する撮像方向に基づいてグループを設定する。より具体的には、撮像部選択部１１４は、複数の撮像装置１０２のそれぞれの撮像位置情報を撮像位置記憶部１０９から取得し、当該取得された情報と、監視対象の位置とに基づいて複数の撮像装置１０２をグループに分類する。上述の通り、撮像位置情報には、撮像装置１０２のそれぞれの撮像方向を示す情報が含まれる。
なお、監視対象に対する撮像方向は、監視対象をどの方向から撮像しているかを示している。監視対象を正面から撮像した画像（図６の６０１）を基準として考えると、監視対象の右側面±４５度、左側面±４５度、背面±４５度、上部仰角６０度から９０度の範囲の計４方向の範囲をそれぞれ１つのグループとする。この例では、４つのグループが形成される。ただし、グループの分類方法は、上記の方法に限らない。撮像部選択部１１４は、第１の絞り込みで絞り込まれた複数の撮像装置１０２を上記の４つのグループの何れかに分類する。すなわち、撮像部選択部１１４は、監視対象を撮像範囲に含む複数の撮像装置１０２を、監視対象に対する撮像方向に基づいて複数のグループに分類する。撮像装置１０２の分類が完了すると、ステップＳ９０２に進み、撮像部選択部１１４は、各グループに対して、ステップＳ９０３からステップＳ９１０までの処理を行う。
【０１０７】
ステップＳ９０３において、撮像部選択部１１４は、グループ内に撮像装置１０２が複数存在するか否かを判定する。グループ内に複数の撮像装置１０２が存在すると判定された場合、撮像装置１０２を１つに絞り込むため、ステップＳ９０５に進む。すなわち、本実施形態の撮像部選択部１１４は、１グループに複数の撮像装置１０２が所属している場合、当該複数の撮像装置１０２のうち１つを選択する。ただし、１グループから選択する撮像装置１０２の数は、１つに限らず、所定数（例えば２つ）まで選択できるようにしても良い。
【０１０８】
グループ内に撮像装置１０２が１つのみ存在する場合は、その撮像装置１０２をグループの代表として選択し、次のグループの処理をステップＳ９０３から開始する。また、グループ内に撮像装置１０２が１つも存在しない場合、撮像装置１０２が無いと判定して、次のグループの処理をステップＳ９０３から開始する。すべてのグループについてのステップＳ９０３〜Ｓ９０８の処理が完了した場合、ステップＳ９０９に進む。
【０１０９】
本実施形態では、上述のように、監視対象の正面に対して右側面±４５度、左側面±４５度、背面±４５度、上部仰角６０度から９０度の範囲の４つのグループが設定される。また、本実施形態では、説明のために、上記の４つのグループをそれぞれ第１のグループ〜第４のグループとして説明する。
【０１１０】
ステップＳ９０５において、撮像部選択部１１４は、第１のグループに属する撮像装置１０２による監視対象に対する撮像方向が、他のグループの撮像装置１０２の監視対象に対する撮像方向と異なる度合いに関する評価値を決定する（方向評価）。評価値は０から１の間の値となり、評価値が１に近い（他のグループの撮像装置１０２の監視対象に対する撮像方向と大きく異なっている）ほど、高い評価とする。
【０１１１】
本実施形態の撮像部選択部１１４は、第１のグループに属する撮像装置１０２の設置位置が、第１のグループの範囲（監視対象の右側面±４５度）の中心に位置する場合、当該撮像装置１０２の評価値を「１」に決定する。また、第１のグループに属する撮像装置１０２の設置位置が、隣接する他のグループ（例えば第３のグループ）の範囲（監視対象の背面±４５度）との境界に位置する場合、当該撮像装置１０２の評価値を「０」に決定する。すなわち、撮像部選択部１１４は、撮像装置１０２の設置位置と、当該撮像装置１０２が属するグループに対応する監視対象に対する撮像方向とに応じて、当該撮像装置１０２の評価値を決定する。
【０１１２】
なお、評価値の決定方法は上記の方法に限らない。例えば、撮像部選択部１１４は、各グループに属する撮像装置１０２の監視対象に対する撮像方向の情報を取得し、他の撮像装置１０２とは監視対象に対する撮像方向が異なっている撮像装置１０２の評価値を「１」に設定することが可能である。この場合、「１」に設定された撮像装置１０２の撮像方向とは異なった撮像方向である撮像装置１０２ほど、高い評価値になるように、他のグループの撮像装置１０２の評価値が決定される。
【０１１３】
また、隣接するグループに属する撮像装置１０２が存在しない場合、撮像部選択部１１４は、当該隣接するグループの範囲との境界部分から監視対象を撮像する撮像装置１０２の評価値が高くなるように評価値を決定する。撮像部選択部１１４は、ステップＳ９０５において、１つのグループに属する複数の撮像装置１０２のそれぞれの評価値を決定する。１グループ分の撮像装置１０２の評価値が決定されると、ステップＳ９０６に進む。
【０１１４】
次に、撮像部選択部１１４は、ステップＳ９０６において、監視対象の前に遮蔽物が存在して監視対象が死角になっている度合いの評価値を決定する（死角評価）。本実施形態では、監視対象は動体であり、遮蔽物は非動体であると仮定して、監視対象の領域に対する動体領域の面積比に基づいて評価値が決定される。撮像部選択部１１４は、監視対象の領域を所定サイズで分割し、各分割領域の画素値がフレーム間で変化している場合に、当該分割領域が動体であると判定する。すなわち、撮像部選択部１１４は、１グループに複数の撮像装置１０２が属する場合、当該複数の撮像装置１０２のそれぞれの撮像画像内に含まれる監視対象の領域が他の物体によって遮蔽されている度合いに基づいて、撮像装置１０２を選択する。
【０１１５】
ただし、動体領域の判定方法は上記の方法に限らず、例えば、予め通常時の画像を記録しておき、現在の画像の画素値と通常時の画像の画素値を比較して、差分が一定値以上の場合に、その画素を動体領域と判定するようにしてもよい。また、画像認識部１１１が各動体の移動方向を認識し、監視対象とは別の動体が監視対象の前を横切る場合は、死角になっていると判定されるようにしてもよい。
【０１１６】
評価値は、０から１の間の値となり、評価値が１に近い（監視対象の領域が遮蔽物により遮蔽されていない）ほど、高い評価であるとする。例えば、撮像装置１５０４−１、１５０４−２、１５０４−１１、１５０４−１２は、監視対象の手前に遮蔽物１５０２−１及び１５０２−２が存在するため監視対象が死角になり、評価値は０となる。
【０１１７】
次に、撮像部選択部１１４は、ステップＳ９０７において、監視領域の画質の評価値を決定する（画質評価）。評価値は、０から１の間の値となり、評価値が１に近い（画質が高く評価されている）ほど、高い評価であるとする。本実施形態の撮像部選択部１１４は、監視対象の解像度に従って画質の評価値を決定する。撮像部選択部１１４は、監視対象の領域の解像度が高いほど高い評価値を与える。ただし、表示部１１７による表示画面の解像度より撮像画像の解像度が高くても監視者にとっては無意味なので、表示部１１７の解像度と同じ場合に評価値１が与えられ、それより高くても同じ評価値が与えられるようにする。すなわち、本実施形態の撮像部選択部１１４は、１グループに複数の撮像装置１０２が属する場合、当該グループ内の複数の撮像装置１０２のそれぞれの監視対象の領域の解像度に基づいて、撮像装置１０２を選択する。
【０１１８】
なお、画質の評価値の決定方法は解像度による方法に限らない。撮像部選択部１１４は、例えば、解像度の評価値のほかに合焦度や階調性などに基づいて評価値を決定し、それぞれの評価値に対して所定の重み係数を設定して重みづけ和によって画質の評価値を決定することも可能である。
【０１１９】
合焦度による評価値は、撮像装置１０２が監視対象に合焦している度合いを評価するための評価値である。たとえば、ソベルフィルタで画像に畳みこみ演算を行ってエッジを検出し、監視領域のエッジの絶対値の最大値が大きいほど高い評価値を与えるようにすることが可能である。
【０１２０】
階調性による評価値は、撮像画像の色のバリエーションの度合いを評価するための評価値である。簡単には監視領域の撮像画像の画素値の最大値と最小値の差が大きいほど高い評価値を与えるようにすることが可能である。また、監視対象の領域の各画素について、画素値毎の出現頻度を求め、頻度が０以外の画素値の数が大きいほど、高い評価値を与えるようにすることも可能である。
【０１２１】
撮像部選択部１１４は、ステップＳ９０９において、グループの代表として１つの撮像装置１０２を選択する。グループ内に撮像装置１０２が複数ある場合は、方向評価、遮蔽評価および画質評価で得られた各評価値を、所定の重みづけをした上で統合し、得られた評価値が高い撮像装置１０２を１つ選択する。撮像部選択部１１４は、選択した撮像装置１０２に対するトリミング命令を生成して、当該選択された撮像装置１０２に対して送信する。すなわち、撮像部選択部１１４は、特定した監視対象の領域を撮像範囲に含む複数の撮像装置１０２（第１の絞り込みで絞り込まれた撮像装置）のうち少なくとも１つに対して、監視対象の領域を撮像画像から切り出すためのトリミング命令を送信する。そして、表示部１１７は、トリミング命令に応じて撮像装置１０２で切り出された監視対象の領域の画像（切り出し画像）を表示させる。
【０１２２】
なお、撮像装置１０２の選択方法は上記の方法に限らず、例えば、遮蔽評価で最下位の撮像装置１０２を候補から除外し、残った撮像装置１０２に対して画質評価を行うなど、設置状況に応じたルールで撮像装置１０２の選択が行われるようにすると良い。また、ステップＳ９０５における撮像方向による評価は、隣のグループの代表によって評価値が変わりうるので、グループ全体で評価値が高くなるように、ステップＳ９０１からステップＳ９１０を繰り返し行うようにすることも可能である。
【０１２３】
以上説明したように、本実施形態の撮像部選択部１１４は、監視対象の領域から所定距離内に存在する複数の撮像装置１０２のうち、監視対象を撮像範囲に含めることができる撮像装置１０２を特定する。また、撮像部選択部１１４は、監視対象に対する撮像方向（監視対象をどの方向から撮像しているか）に応じて、特定した撮像装置１０２を複数のグループに分類する。そして、撮像部選択部１１４は、特定した複数の撮像装置１０２のそれぞれの方向評価、遮蔽評価、画質評価を実行し、その結果に基づいて各グループの代表となる撮像装置１０２を決定し、代表となる撮像装置１０２に対してトリミング命令を出力する。トリミング命令を受信した撮像装置１０２は、撮像画像から、監視対象の領域を切り出し、切り出し画像を監視装置１０３に対して送信する。監視装置１０３は、図１０に示すように、主画像（ユーザが監視対象の指定に用いた画像を撮像する撮像装置１０２による撮像画像）に、切り出し画像を合成して表示する。上記のような構成により、ユーザ（監視者）は、監視対象を１画面で様々な方向から見ることができるので、監視のための負荷を低減することができるようになる。
【０１２４】
次に「画像の切り替え」イベントについて説明する。このイベントは、図１０の表示例において、監視者が入力部３０１からカメラアイコン１００５を選択することで発生する。カメラアイコン１００５は、その画像を撮像した撮像装置１０２の識別情報と対応付けられており、ユーザが指示したカメラアイコンに対応する撮像装置１０２の識別情報が画像配置部１１３に出力される。すなわち、表示部１１７は、監視対象の特定に用いられた撮像画像を撮像した撮像装置１０２による撮像画像（主画像）に、他の撮像装置１０２による撮像画像の切り出し画像を合成して表示する場合において、切り出し画像に対応するアイコンをさらに表示する。
【０１２５】
画像配置部１１３は、画像の切り替えイベントが発生すると、ユーザによって指定された撮像装置１０２の撮像画像が主画像となるように、表示画像の配置を変更する。例えば、図１０においてカメラアイコン１００５−４がユーザによって指示された場合、窓領域１００３−４を撮像する撮像装置１０２の撮像画像が主画像として表示される。主画像の切り替え後の表示部１１７の表示例を図１１に示す。ユーザによって指示された撮像装置１０２が撮像する監視対象の領域（１００３−４）が、主画像として表示される。
【０１２６】
すなわち、画像配置部１１３は、ユーザに指定されたアイコンに対応する撮像装置１０２による撮像画像に、他の撮像装置１０２による撮像画像の切り出し画像を合成して表示する。画像配置部１１３の表示位置決定部１１５は、画像の切り替えイベントによって窓の大きさと監視対象の位置が変化する場合、一定の時間をかけて段階的に変化させるように窓領域の位置やサイズを決定する。こうすることで、監視者は、監視対象を見失うことなく画像の切り替えをすることができるので、監視者の負荷を減らすことができる。
【０１２７】
なお、本実施形態は、種々の変形をすることが可能である。例えば、窓領域は、必ずしも主画像６０１の内側に配置する必要はない。たとえば表示位置決定部１１５は、マルチ画面上に窓を配置し、画像合成部１１６は、関連線１００４の代わりにマーカによって同一の監視対象であることを関連付けることも可能である。この場合の表示部１１７に表示される画面の例を図１２に示す。図１２において、１２０１−１〜１２０１−６は、監視対象を示すマーカである。
【０１２８】
監視対象が複数ある場合には、マーカの形状や色、番号、氏名などの識別文字が異なるマーカを定義して監視対象を識別できるようにすることが可能である。例えば、複数の監視対象のうち第１の監視対象に対しては、赤色のマーカを各窓に付し、第２の監視対象に対しては青色のマーカを各窓に付すことが可能である。マーカの形状や番号、指名などについても同様である。
【０１２９】
また、ステップＳ９０１では、監視対象に対する撮像方向のみでグループを設定する例を説明したが、例えば、監視対象の人物の全身と、頭部のズームアップ画像をそれぞれ別の窓に表示するように、撮像方向と解像度の組み合わせによってグループを設定してもよい。その場合、表示位置決定部１１５は、ステップＳ８０６において、解像度のグループ別に異なる基準で窓の大きさを決定することができる。
【０１３０】
また、ステップＳ９０３において、グループに属する撮像装置１０２がない場合、撮像部選択部１１４は、撮像装置１０２の撮像範囲に監視対象を含めるように姿勢制御命令を送信することが可能である。すなわち、撮像部選択部１１４は、監視対象を所定の方向から撮像する撮像装置１０２が存在しない場合、撮像装置１０２の撮像方向を変更するための制御を行なう。撮像装置１０２は、他の監視装置１０３と接続されていない場合など、他の優先する命令がない場合は、監視装置１０３からの姿勢制御命令に応じた姿勢制御を行う。撮像装置１０２は、姿勢制御命令に応じた姿勢制御をした後、姿勢制御の送信元である監視装置１０３に対して、姿勢制御の成功を通知する。一方、撮像装置１０２は、他に優先する命令がある場合（姿勢制御が不可能である場合）は、姿勢制御命令の送信元である監視装置１０３に対して、姿勢制御の失敗を通知する。監視装置１０３は、姿勢制御命令に応じて姿勢制御可能な撮像装置１０２の画像のみでマルチビュー表示をすればよい。ただし、姿勢制御に関する処理は必須ではない。
【０１３１】
また、ステップＳ５０３において、被写体検出部１０５は、撮像画像から人物がいるか否かを検出することも可能である。例えば、被写体検出部１０５は、所定の大きさの検出ウィンドウを撮像画像上で走査させ、検出ウィンドウ内の画像を切り出した切り出し画像に対してパターン画像のマッチングを図ることにより、切り出し画像内に人物が存在するか否かを判定できる。
【０１３２】
被写体検出部１０５が撮像画像から人物を検出し、操作部１１０で人物を監視対象として指定すれば、監視対象の領域を指定するよりも、特定の人物を監視対象に設定することが容易になる。
【０１３３】
また、姿勢制御部１０７は、パン、チルト、ズームの他に、移動手段や、潜水手段、浮遊手段を有して撮像部１０４を所望の位置へ移動する様に構成してもよい。また、姿勢制御部１０７は、ステップＳ９０５からステップＳ９０７において、評価値を最大化する撮像部の位置を求め、目標に向かって移動する様に制御してもよい。
【０１３４】
＜第２の実施形態＞
次に、第２の実施形態について説明する。第１の実施形態では、監視装置１０３からのトリミング命令に応じて、撮像装置１０２が、監視対象の領域の画像を撮像画像から切り出す例について説明したが、本実施形態では、監視装置１０３が切り出しを行う例を説明する。本実施形態は、撮像装置１０２による撮像画像が録画済みの状況で、当該録画済み画像の表示を通常表示モードからマルチビューモードに切り替える場合に、特に好適な構成である。
【０１３５】
図１４は、本実施形態に係るカメラシステムの構成を示すブロック図である。第１の実施形態との差は、第１の実施形態の撮像装置１０２に画像記憶部１２０が追加されている。また、画像加工部１０６は、監視装置２０３側に含まれている。すなわち、第２の実施形態では、監視対象の領域を撮像範囲に含む複数の撮像装置２０２のうち少なくとも一部の撮像装置２０２から撮像画像を取得した監視装置２０３が、撮像画像から監視対象の領域を切り出して表示部１１７に表示させる。このような構成により、例えば、複数の監視装置２０３が存在し、それぞれが異なる監視対象の領域を設定した場合において、撮像装置２０２は、複数の監視装置２０３に撮像画像を送信すればよいので負荷を低減できる。その他の構成は、第１の実施形態と同じであり、同じ符号を付与している。
【０１３６】
撮像装置２０２の画像記憶部１２０は、不揮発性メモリ等の媒体にＨ．２６４等の符号化方法で符号化された符号化データを記憶する。また、画像記憶部１２０は、撮像部１０４の位置情報や姿勢情報、焦点距離情報をメタ情報として画像と合わせて符号化、復号化を行う。監視装置２０３は、各撮像装置２０２に対して撮像時刻を指定して画像の再生命令を送信する。各撮像装置２０２は、再生命令を受信すると画像記憶部１２０から画像を読み出して監視装置２０３へ送信する。監視装置２０３の送受信部１０８−２は、この画像を受信し、画質補正部１１２を介して画像加工部１０６に入力する。画像加工部１０６は、第１の実施形態と同様の方法にて撮像部選択部１１４により選択された撮像装置２０２の撮像画像に対してトリミングを行い、切り出し画像を得る。そして、画像合成部１１６は、主画像に対して切り出し画像を合成して、合成画像を生成し、生成された合成画像を表示部１１７に出力する。このような構成により、記録画像の再生でもリアルタイム画像と同様にマルチビュー表示が可能である。
【０１３７】
本実施形態では、画像記憶部１２０が撮像装置２０２に備わる例を中心に説明したが、監視装置２０３が画像記憶部１２０を有するようにしても、ネットワーク１１８を介して独立した記憶装置が画像記憶部１２０を有するようにしてもよい。監視装置２０３や記憶装置が画像記憶部１２０を有するようにした場合は、監視装置２０３及び記憶装置の送受信部１０８において受信された符号化データは、復号化せずに画像記憶部１２０に記憶させ、再生時に適宜復号化すればよい。
【０１３８】
以上、人物を監視する場合の例について説明したが、本実施形態の構成は、スポーツビジョンシステム等のほかのカメラシステムに適用することも可能である。スポーツの分野に本実施形態のマルチビューモードを適用すれば、各種のスポーツ競技においてプレイヤを複数の方向から同時に確認できる。これにより、たとえば、サッカーにおけるファウルの判断など、即座にルール違反を確認することができる。また、医療やコンサート等におけるカメラシステムにも本実施形態の構成は適用可能である。このように上述の実施形態の構成は、さまざまな画像処理システムに広く適用可能である。
【０１３９】
また、上記の実施形態では、複数の撮像装置１０２による複数の撮像画像を同時に表示させる場合の例を中心に説明したが、例えば、１つの撮像画像を切り替えて表示することも可能である。この場合、主画像の表示中に、監視対象が特定されたあと、ユーザ操作によって「右」が指示された場合、主画像を撮像する撮像装置１０２から監視対象の方向を基準として、監視対象を右側から撮像する撮像装置１０２による撮像画像に表示を切り替えるようにすることが可能である。また、例えば、ユーザ操作によって「後ろ」が指示された場合、主画像を撮像する撮像装置１０２から監視対象の方向を基準として、監視対象を後ろから撮像する撮像装置１０２による撮像画像に表示を切り替えるようにすることが可能である。
【０１４０】
すなわち、監視装置１０３は、複数の撮像装置１０２のうち、撮像画像を表示させるべき撮像装置１０２を、前記複数の撮像装置の前記監視対象に対する撮像方向と、ユーザ操作の内容に応じて選択する。このような構成であっても、ユーザ（監視者）の直感的な操作によって監視対象を複数の方向から監視できるので、監視者による監視対象の監視負荷を低減できる。  また、上記の実施形態では、複数の撮像装置１０２のそれぞれの撮像位置情報と、監視対象の位置とに基づいて、撮像画像を表示させるべき撮像装置を決定する例を中心に説明したが、この方法に限らない。例えば、指定された監視対象の位置に対して、予め紐づけられた１又は複数の撮像装置１０２が、撮像画像を表示させるべき撮像装置として決定されるような構成も可能である。この構成を実現する場合、監視装置１０３の撮像位置記憶部１０９は、監視対象として指定可能な範囲内の各位置と、撮像装置１０２の識別情報とを対応づけた対応情報を記憶する。なお、対応情報は、予めユーザが設定することも可能であるし、監視装置１０３の撮像位置記憶部１０９に記憶される撮像位置情報に基づいて算出することも可能である。
【０１４１】
そして、監視装置１０３の撮像部選択部１１４は、当該対応情報と、監視対象の位置情報を取得し、これら２つの情報に基づいて、撮像画像を表示すべき撮像装置１０２を決定する。このような構成によれば、監視装置１０３は、監視対象を指定してから撮像画像を表示させるべき撮像装置１０２を決定するまでの処理負荷および処理時間を低減できる。
【０１４２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１４３】
１０１  カメラシステム
１０２  撮像装置
１０３  監視装置
１０４  撮像部
１０５  被写体検出部
１０６  画像加工部
１０７  姿勢制御部
１０８−１、１０８−２  送受信部
１０９  撮像位置記憶部
１１０  操作部
１１１  画像認識部
１１２  画質補正部
１１３  画像配置部
１１４  撮像部選択部
１１５  表示位置決定部
１１６  画像合成部
１１７  表示部
１１８  ネットワーク
１１９  座標変換部
【図１】
2016127571.tif 000003
【図２】
2016127571.tif 000004
【図３】
2016127571.tif 000005
【図４】
2016127571.tif 000006
【図５】
2016127571.tif 000007
【図６】
2016127571.tif 000008
【図７】
2016127571.tif 000009
【図８】
2016127571.tif 000010
【図９】
2016127571.tif 000011
【図１０】
2016127571.tif 000012
【図１１】
2016127571.tif 000013
【図１２】
2016127571.tif 000014
【図１３】
2016127571.tif 000015
【図１４】
2016127571.tif 000016
【図１５】
2016127571.tif 000017